【手続補正書】
【提出日】平成18年6月6日(2006.6.6)
【手続補正１】
【補正対象書類名】明細書
【補正対象項目名】発明の名称
【補正方法】変更
【補正の内容】
【発明の名称】情報処理装置、情報処理装置の制御方法、画像形成システム、画像形成システムの制御方法及びプログラム
【手続補正２】
【補正対象書類名】明細書
【補正対象項目名】特許請求の範囲
【補正方法】変更
【補正の内容】
【特許請求の範囲】
【請求項１】  複数の画像形成装置と通信可能な情報処理装置であって、
単一の画像形成装置または複数の画像形成装置からなる画像形成装置の組を出力先として選択する選択手段と、
複数の画像形成装置を出力先とする前記画像形成装置の組を構成する各画像形成装置に関するデバイス固有情報に基づいて得られる前記画像形成装置の組に対する複合デバイス固有情報と、前記単一の画像形成装置に関するデバイス固有情報と、を格納する格納手段と、
前記選択手段によって選択された出力先が前記画像形成装置の組である場合、前記格納手段に格納された前記複合デバイス固有情報に基づいて、前記画像形成装置の組における印刷設定情報を設定するための設定画面を表示し、前記選択手段によって選択された出力先が単一の画像形成装置である場合、前記デバイス固有情報に基づいて、単一の画像形成装置における印刷設定情報を設定するための設定画面を表示する設定表示手段と、
前記設定表示手段によって表示された前記設定画面を介して設定された前記印刷設定情報に基づく印刷ジョブを生成する生成手段と、
前記選択手段によって前記画像形成装置の組が選択された場合、前記生成手段によって生成された前記印刷ジョブを、前記選択手段によって選択された画像形成装置の組を構成する複数の前記画像形成装置に対して出力し、前記選択手段によって前記単一の画像形成装置が選択された場合、前記生成手段によって生成された印刷ジョブを前記単一の画像形成装置に対して出力する出力手段とを有し、
前記設定表示手段は、前記設定画面に含まれる設定項目を前記画像形成装置の組における各画像形成装置と対応付けて表示することを特徴とする情報処理装置。
【請求項２】  前記設定表示手段は、前記画像形成装置の組に機能の異なる画像形成装置が含まれるか否かを判定する判定手段と、
前記判定手段によって機能の異なる画像形成装置が含まれると判定されたときに、前記格納手段に格納された前記デバイス固有情報から前記複合デバイス固有情報を生成する機能情報生成手段とを備えることを特徴とする請求項１に記載の情報処理装置。
【請求項３】  前記画像形成装置の組を構成する複数の画像形成装置を登録する登録手段を更に有することを特徴とする請求項１又は２に記載の情報処理装置。
【請求項４】  前記登録手段は、前記生成手段によって生成された前記印刷ジョブの分割方法を登録し、
前記出力手段は、前記画像形成装置の組が選択された場合、前記登録手段によって登録された前記分割方法に従って前記印刷ジョブを前記画像形成装置の組を構成する複数の画像形成装置に対して出力することを特徴とする請求項３に記載の情報処理装置。
【請求項５】  前記分割方法は、部数単位に分割する部数分割と、ページ単位に分割するページ分割と、カラーページと白黒ページにて分割するカラー白黒分割を含むことを特徴とする請求項４に記載の情報処理装置。
【請求項６】  前記機能は、出力された用紙に対するフィニッシング処理に関する機能を含むことを特徴とする請求項２乃至５のいずれか１項に記載の情報処理装置。
【請求項７】  複数の画像形成装置と通信可能な情報処理装置の制御方法であって、
単一の画像形成装置または複数の画像形成装置からなる画像形成装置の組を出力先として選択する選択工程と、
複数の画像形成装置を出力先とする前記画像形成装置の組を構成する各画像形成装置に関するデバイス固有情報に基づいて得られる前記画像形成装置の組に対する複合デバイス固有情報と、前記単一の画像形成装置に関するデバイス固有情報と、を格納する格納工程と、
前記選択工程によって選択された出力先が前記画像形成装置の組である場合、前記格納工程で格納された前記複合デバイス固有情報に基づいて、前記画像形成装置の組における印刷設定情報を設定するための設定画面を表示し、前記選択工程によって選択された出力先が単一の画像形成装置である場合、前記デバイス固有情報に基づいて、単一の画像形成装置における印刷設定情報を設定するための設定画面を表示する設定表示工程と、
前記設定表示工程によって表示された前記設定画面を介して設定された前記印刷設定情報に基づく印刷ジョブを生成する生成工程と、
前記選択工程によって前記画像形成装置の組が選択された場合、前記生成工程によって生成された前記印刷ジョブを、前記選択工程によって選択された画像形成装置の組を構成する複数の前記画像形成装置に対して出力し、前記選択工程によって前記単一の画像形成装置が選択された場合、前記生成工程によって生成された印刷ジョブを前記単一の画像形成装置に対して出力する出力工程とを有し、
前記設定表示工程は、前記設定画面に含まれる設定項目を前記画像形成装置の組における各画像形成装置と対応付けて表示することを特徴とする情報処理装置の制御方法。
【請求項８】  前記設定表示工程は、前記画像形成装置の組に機能の異なる画像形成装置が含まれるか否かを判定する判定工程と、
前記判定工程で機能の異なる画像形成装置が含まれると判定されたときに、前記格納工程で格納された前記デバイス固有情報から前記複合デバイス固有情報を生成する機能情報生成工程とを含むことを特徴とする請求項７に記載の情報処理装置の制御方法。
【請求項９】  前記画像形成装置の組を構成する複数の画像形成装置を登録する登録工程を更に有することを特徴とする請求項７又は８に記載の情報処理装置の制御方法。
【請求項１０】  前記登録工程は、前記生成工程によって生成された前記印刷ジョブの分割方法を登録し、
前記出力工程は、前記画像形成装置の組が選択された場合、前記登録工程によって登録された前記分割方法に従って前記印刷ジョブを前記画像形成装置の組を構成する複数の画像形成装置に対して出力することを特徴とする請求項９に記載の情報処理装置の制御方法。
【請求項１１】  前記分割方法は、部数単位に分割する部数分割と、ページ単位に分割するページ分割と、カラーページと白黒ページにて分割するカラー白黒分割を含むことを特徴とする請求項７に記載の情報処理装置の制御方法。
【請求項１２】  前記機能は、出力された用紙に対するフィニッシング処理に関する機能を含むことを特徴とする請求項７乃至１１のいずれか１項に記載の情報処理装置の制御方法。
【請求項１３】  複数の画像形成装置と通信可能な情報処理装置の制御方法が記述されたコンピュータで実行可能なプログラムであって、前記情報処理装置の制御方法は、
単一の画像形成装置または複数の画像形成装置からなる画像形成装置の組を出力先として選択する選択工程と、
複数の画像形成装置を出力先とする前記画像形成装置の組を構成する各画像形成装置に関するデバイス固有情報に基づいて得られる前記画像形成装置の組に対する複合デバイス固有情報と、前記単一の画像形成装置に関するデバイス固有情報と、を格納する格納工程と、
前記選択工程によって選択された出力先が前記画像形成装置の組である場合、前記格納工程で格納された前記複合デバイス固有情報に基づいて、前記画像形成装置の組における印刷設定情報を設定するための設定画面を表示し、前記選択工程によって選択された出力先が単一の画像形成装置である場合、前記デバイス固有情報に基づいて、単一の画像形成装置における印刷設定情報を設定するための設定画面を表示する設定表示工程と、
前記設定表示工程によって表示された前記設定画面を介して設定された前記印刷設定情報に基づく印刷ジョブを生成する生成工程と、
前記選択工程によって前記画像形成装置の組が選択された場合、前記生成工程によって生成された前記印刷ジョブを、前記選択工程によって選択された画像形成装置の組を構成する複数の前記画像形成装置に対して出力し、前記選択工程によって前記単一の画像形成装置が選択された場合、前記生成工程によって生成された印刷ジョブを前記単一の画像形成装置に対して出力する出力工程とを有し、
前記設定表示工程は、前記設定画面に含まれる設定項目を前記画像形成装置の組における各画像形成装置と対応付けて表示することを特徴とするコンピュータで実行可能なプログラム。
【請求項１４】  前記設定表示工程は、前記画像形成装置の組に機能の異なる画像形成装置が含まれるか否かを判定する判定工程と、
前記判定工程によって機能の異なる画像形成装置が含まれると判定されたときに、前記格納工程で格納された前記デバイス固有情報から前記複合デバイス固有情報を生成する機能情報生成工程とを備えることを特徴とする請求項１３に記載のコンピュータで実行可能なプログラム。
【請求項１５】  前記画像形成装置の組を構成する複数の画像形成装置を登録する登録工程を更に有することを特徴とする請求項１３又は１４に記載のコンピュータで実行可能なプログラム。
【請求項１６】  前記登録工程は、前記生成工程によって生成された前記印刷ジョブの分割方法を登録し、
前記出力工程は、前記画像形成装置の組が選択された場合、前記登録工程によって登録された前記分割方法に従って前記印刷ジョブを前記画像形成装置の組を構成する複数の画像形成装置に対して出力することを特徴とする請求項１５に記載のコンピュータで実行可能なプログラム。
【請求項１７】  前記分割方法は、部数単位に分割する部数分割と、ページ単位に分割するページ分割と、カラーページと白黒ページにて分割するカラー白黒分割を含むことを特徴とする請求項１６に記載のコンピュータで実行可能なプログラム。
【請求項１８】  前記機能は、出力された用紙に対するフィニッシング処理に関する機能を含むことを特徴とする請求項１４乃至１７のいずれか１項に記載のコンピュータで実行可能なプログラム。
【請求項１９】  複数の画像形成装置、前記画像形成装置を管理するサーバ装置、及び前記画像形成装置に対してジョブを依頼するクライアント装置を含む画像形成システムであって、
単一の画像形成装置または複数の画像形成装置からなる画像形成装置の組を出力先として選択する選択手段と、
複数の画像形成装置を出力先とする画像形成装置の組を構成する各画像形成装置に関するデバイス固有情報に基づいて得られる前記画像形成装置の組に対する複合デバイス固有情報と前記単一の画像形成装置のデバイス固有情報とを格納する格納手段と、
前記選択手段によって選択された出力先が画像形成装置の組である場合、前記格納手段に格納された前記複合デバイス固有情報に基づいて、前記画像形成装置の組における印刷設定情報を設定するための設定画面を表示し、前記選択工程によって選択された出力先が前記単一の画像形成装置である場合、前記デバイス固有情報に基づいて、前記単一の画像形成装置における印刷設定情報を設定するための設定画面を表示する設定表示工程と、
前記設定表示手段によって表示された設定画面を介して設定された印刷設定情報に基づく印刷ジョブを生成する生成手段と、
前記選択手段によって前記画像形成装置の組が選択された場合、前記生成手段によって生成された印刷ジョブを前記選択手段によって選択された画像形成装置の組を構成する複数の画像形成装置に対して出力し、前記選択手段によって単一の画像形成装置が選択された場合、前記生成手段によって生成された印刷ジョブを前記単一の画像形成装置に対して出力する出力手段とを有し、
前記設定表示手段は、前記設定画面に含まれる設定項目を前記画像形成装置の組における各画像形成装置と対応付けて表示することを特徴とする画像形成システム。
【請求項２０】  複数の画像形成装置、前記画像形成装置を管理するサーバ装置、及び前記画像形成装置に対してジョブを依頼するクライアント装置を含む画像形成システムの制御方法であって、
単一の画像形成装置または複数の画像形成装置からなる画像形成装置の組を出力先として選択する選択工程と、
複数の画像形成装置を出力先とする前記画像形成装置の組を構成する各画像形成装置に関するデバイス固有情報に基づいて得られる前記画像形成装置の組に対する複合デバイス固有情報と、前記単一の画像形成装置のデバイス固有情報と、を格納する格納工程と、
前記選択工程によって選択された出力先が前記画像形成装置の組である場合、前記格納工程で格納された前記複合デバイス固有情報に基づいて、前記画像形成装置の組における印刷設定情報を設定するための設定画面を表示し、前記選択工程によって選択された出力先が前記単一の画像形成装置である場合、前記デバイス固有情報に基づいて、前記単一の画像形成装置における印刷設定情報を設定するための設定画面を表示する設定表示工程と、
前記設定表示工程によって表示された設定画面を介して設定された前記印刷設定情報に基づく前記印刷ジョブを生成する生成工程と、
前記選択工程によって前記画像形成装置の組が選択された場合、前記生成工程によって生成された前記印刷ジョブを、前記選択工程によって選択された画像形成装置の組を構成する複数の画像形成装置に対して出力し、前記選択工程によって前記単一の画像形成装置が選択された場合、前記生成工程によって生成された前記印刷ジョブを前記単一の画像形成装置に対して出力する出力工程とを有し、
前記設定表示工程は、前記設定画面に含まれる設定項目を前記画像形成装置の組における各画像形成装置と対応付けて表示することを特徴とする画像形成システムの制御方法。
【請求項２１】  複数の画像形成装置、前記画像形成装置を管理するサーバ装置、及び前記画像形成装置に対してジョブを依頼するクライアント装置を含む画像形成システムの制御方法が記述されたコンピュータで実行可能なプログラムであって、前記画像形成システムの制御方法は、
単一の画像形成装置または複数の画像形成装置からなる画像形成装置の組を出力先として選択する選択工程と、
複数の画像形成装置を出力先とする前記画像形成装置の組を構成する各画像形成装置に関するデバイス固有情報に基づいて得られる前記画像形成装置の組に対する複合デバイス固有情報と、前記単一の画像形成装置のデバイス固有情報と、を格納する格納工程と、
前記選択工程によって選択された出力先が前記画像形成装置の組である場合、前記格納工程で格納された前記複合デバイス固有情報に基づいて、前記画像形成装置の組における印刷設定情報を設定するための設定画面を表示し、前記選択工程によって選択された出力先が前記単一の画像形成装置である場合、前記デバイス固有情報に基づいて、前記単一の画像形成装置における印刷設定情報を設定するための設定画面を表示する設定表示工程と、
前記設定表示工程によって表示された設定画面を介して設定された前記印刷設定情報に基づく前記印刷ジョブを生成する生成工程と、
前記選択工程によって前記画像形成装置の組が選択された場合、前記生成工程によって生成された前記印刷ジョブを、前記選択工程によって選択された画像形成装置の組を構成する複数の画像形成装置に対して出力し、前記選択工程によって前記単一の画像形成装置が選択された場合、前記生成工程によって生成された前記印刷ジョブを前記単一の画像形成装置に対して出力する出力工程とを有し、
前記設定表示工程は、前記設定画面に含まれる設定項目を前記画像形成装置の組における各画像形成装置と対応付けて表示することを特徴とするコンピュータで実行可能なプログラム。
【手続補正３】
【補正対象書類名】明細書
【補正対象項目名】０００９
【補正方法】変更
【補正の内容】
【０００９】
【課題を解決するための手段】
上述した目的を達成するため、本発明の一態様としての情報処理装置は、複数の画像形成装置と通信可能な情報処理装置であって、
単一の画像形成装置または複数の画像形成装置からなる画像形成装置の組を出力先として選択する選択手段と、
複数の画像形成装置を出力先とする前記画像形成装置の組を構成する各画像形成装置に関するデバイス固有情報に基づいて得られる前記画像形成装置の組に対する複合デバイス固有情報と、前記単一の画像形成装置に関するデバイス固有情報と、を格納する格納手段と、
前記選択手段によって選択された出力先が前記画像形成装置の組である場合、前記格納手段に格納された前記複合デバイス固有情報に基づいて、前記画像形成装置の組における印刷設定情報を設定するための設定画面を表示し、前記選択手段によって選択された出力先が単一の画像形成装置である場合、前記デバイス固有情報に基づいて、単一の画像形成装置における印刷設定情報を設定するための設定画面を表示する設定表示手段と、
前記設定表示手段によって表示された前記設定画面を介して設定された前記印刷設定情報に基づく印刷ジョブを生成する生成手段と、
前記選択手段によって前記画像形成装置の組が選択された場合、前記生成手段によって生成された前記印刷ジョブを、前記選択手段によって選択された画像形成装置の組を構成する複数の前記画像形成装置に対して出力し、前記選択手段によって前記単一の画像形成装置が選択された場合、前記生成手段によって生成された印刷ジョブを前記単一の画像形成装置に対して出力する出力手段とを有し、
前記設定表示手段は、前記設定画面に含まれる設定項目を前記画像形成装置の組における各画像形成装置と対応付けて表示する。